(57)【要約】【課題】炊飯器本体の前面に目視可能な液晶表示部を有する炊飯器において、組立作業を安定化し作業性を向上するとともに、リサイクル時の樹脂材料分別性を向上し、容易に分解できるようにして、リサイクル時の分解作業性を向上する。【解決手段】炊飯器本体３１の前面操作表示部３２を透過して目視可能な液晶表示部３９を有し、液晶表示部３９は、炊飯に必要な情報を表示する液晶パネル３８を液晶ホルダー３７に保持し、この液晶ホルダー３７を電子部品などを実装した基板３４に装着し、調理メニューを印刷した加飾シート４２を液晶パネル３８の前面に配設する。加飾シート４２は、外縁に設けた凸状片を液晶ホルダー３７に設けた挿入穴に係合させ保持するよう構成する。【選択図】図１
2005143956.tif 000002
【特許請求の範囲】
【請求項１】
炊飯器本体の前面操作表示部を透過して目視可能な液晶表示部を有し、前記液晶表示部は、炊飯に必要な情報を表示する液晶パネルと、この液晶パネルを保持する液晶ホルダーと、電子部品などを実装し前記液晶ホルダーを装着する基板と、調理メニューを印刷し前記液晶パネルの前面に配設した加飾シートとを備え、前記加飾シートは、外縁に設けた凸状片を前記液晶ホルダーに設けた挿入穴に係合させ保持するよう構成した炊飯器。
【請求項２】
加飾シートは、外縁２辺の角部を液晶ホルダーの角部に設けた挿入穴に係合させ保持するよう構成した請求項１記載の炊飯器。
【請求項３】
液晶ホルダーは、液晶パネルを保持する液晶保持部の外周に平面部を設けた請求項１記載の炊飯器。
【請求項４】
液晶ホルダーの液晶保持部外周に設けた平面部を液晶パネル表面の高さと同等またはこれより高く形成した請求項３記載の炊飯器。
【発明の詳細な説明】
【技術分野】
【０００１】
本発明は、炊飯器本体の前面に目視可能な液晶表示部を有する炊飯器に関するものである。
【背景技術】
【０００２】
従来、この種の炊飯器は図８に示すように構成していた。以下、その構成について説明をする。
【０００３】
図８に示すように、操作パネル５は、本体操作部の外郭を構成するもので、液晶パネル９を液晶ホルダー９ａにより保持し、この液晶パネル９をマイコン（図示せず）等を搭載した基板８に装着し、基板８を取り付けた基板保持部材１０を操作パネル５の内方に取り付けている。液晶パネル９に対応する位置に液晶パネル９を透視できる透明材料からなる化粧板６ａを配設している。
【０００４】
化粧板６ａの裏面には、液晶パネル９の表示部を除く全面に調理メニュー等の印刷を施し、液晶パネル９の表示部分以外の箇所にマスキングを行っている。化粧板６ａは、上下に設けたリブ（図示せず）により、操作パネル５の嵌合穴に係止し、固定している。
【０００５】
また、化粧板６ａの裏面には、両面テープ６ｂにより貼り付けられる樹脂発砲体よりなる液晶表示部パッキン６ｃを取り付けている。また、液晶表示部パッキン６ｃは、液晶パネル９の表示枠に沿って切り欠き穴を備えている。
【０００６】
上記構成において、液晶パネル９に表示される調理工程等の表示は化粧板６ａを介して使用者が確認、操作が行われる（例えば、特許文献１参照）。
【特許文献１】特開平６−１３３８４７号公報
【発明の開示】
【発明が解決しようとする課題】
【０００７】
しかしながら、このような従来の構成では、炊飯器を分解する際に、本体操作部の外郭を構成する操作パネル５から、操作パネル５、液晶ホルダー９ａ、基板８等を取り付けた基板保持部材１０を取り外すことはできるが、化粧板６ａは上下に設けたリブ（図示せず）により、操作パネル５の嵌合穴に係止、固定されているため、同時に取り外しできない上、操作パネル５と化粧板６ａが異なる樹脂材料であるため、リサイクル時の樹脂分別性が低下するという問題を有していた。
【０００８】
また、化粧板６ａの裏面に接着力の強い両面テープ６ｂで液晶表示部パッキン６ｃを貼り付けているので、組立時の作業ばらつきや取り付け位置が決まらないことより、貼り付け直しが発生したり、化粧板６ａから液晶表示部パッキン６ｃを剥がす途中で破れたりして容易に剥がせないため、余分な作業時間を浪費していた。
【０００９】
本発明は上記従来の課題を解決するもので、組立作業を安定化し作業性を向上するとともに、リサイクル時の樹脂材料分別性を向上し、容易に分解できるようにして、リサイクル時の分解作業性を向上することを目的としている。
【課題を解決するための手段】
【００１０】
本発明は上記目的を達成するために、炊飯器本体の前面操作表示部を透過して目視可能な液晶表示部を有し、液晶表示部は、炊飯に必要な情報を表示する液晶パネルを液晶ホルダーに保持し、この液晶ホルダーを電子部品などを実装した基板に装着し、調理メニューを印刷した加飾シートを液晶パネルの前面に配設し、加飾シートは、外縁に設けた凸状片を液晶ホルダーに設けた挿入穴に係合させ保持するよう構成したものである。
【００１１】
これにより、組立作業を安定化し作業性を向上することができるとともに、リサイクル時の樹脂材料の分別性を向上することができ、加飾シートの取り付けに両面テープを使わないので、両面テープによる接着を剥すことがなくなり、容易に分解することができて、リサイクル時の分解作業性を向上することができる。
【発明の効果】
【００１２】
本発明の炊飯器は、組立作業を安定化し作業性を向上することができるとともに、リサイクル時の樹脂材料の分別性を向上することができ、容易に分解できるようにして、リサイクル時の分解作業性を向上することができる。
【発明を実施するための最良の形態】
【００１３】
第１の発明は、炊飯器本体の前面操作表示部を透過して目視可能な液晶表示部を有し、前記液晶表示部は、炊飯に必要な情報を表示する液晶パネルと、この液晶パネルを保持する液晶ホルダーと、電子部品などを実装し前記液晶ホルダーを装着する基板と、調理メニューを印刷し前記液晶パネルの前面に配設した加飾シートとを備え、前記加飾シートは、外縁に設けた凸状片を前記液晶ホルダーに設けた挿入穴に係合させ保持するよう構成したものであり、加飾シートの取付位置が決まるので作業のばらつきがなくなり、組立作業を安定化できて作業性を向上することができるとともに、リサイクル時の樹脂材料の分別性を向上することができ、また、加飾シートの取り付けに両面テープを使わないので、両面テープによる接着を剥すことがなくなり、容易に分解することができて、リサイクル時の分解時間を短縮できて作業性を向上することができる。
【００１４】
第２の発明は、上記第１の発明において、加飾シートは、外縁２辺の角部を液晶ホルダーの角部に設けた挿入穴に係合させ保持するよう構成したものであり、加飾シートを小さくできるとともに、加飾シートを安定して保持することができる。
【００１５】
第３の発明は、上記第１の発明において、液晶ホルダーは、液晶パネルを保持する液晶保持部の外周に平面部を設けたものであり、加飾シートの外縁に設けた凸状片を液晶ホルダーに設けた挿入穴に係合させて保持するとき、平面部が案内となって凸状片を挿入穴に容易に挿入できるとともに、係合後の加飾シートを安定して液晶ホルダーに保持することができる。
【００１６】
第４の発明は、上記第３の発明において、液晶ホルダーの液晶保持部外周に設けた平面部を液晶パネル表面の高さと同等またはこれより高く形成したものであり、加飾シートを組付けるときに、屈曲することがなく自然の状態で係合穴に差し込むことができ、また取外し易くできる。
【００１７】
以下、本発明の実施の形態について、図面を参照しながら説明する。なお、この実施の形態によって本発明が限定されるものではない。
【００１８】
（実施の形態１）
図２に示すように、炊飯器本体３１は、透明な樹脂材料で形成した前面操作表示部３２を有し、この前面操作表示部３２は透明表示部４４以外は裏面より不透明材料でマスキングして不透明とし、透明表示部４４を透過して、前面操作表示部３２の内方に取り付けた液晶表示部３９の調理メニュー表示部３３を目視できるようにしている。調理メニュー表示部３３の近傍にスイッチ操作部４６を設けている。
【００１９】
液晶表示部３９は、図１に示すように、現在時間、炊飯残時間、メニュー選択時の表示、保温経過時間、炊飯スタート表示などの炊飯に必要な情報を表示する液晶パネル３８を液晶ホルダー３７に保持し、この液晶ホルダー３７を電子部品などを実装した基板３４に装着し、調理メニューを印刷した加飾シート４２を液晶パネル３８の前面に配設して構成している。この液晶表示部３９の基板３４を基板保持部材４３に取り付け、基板保持部材４３を前面操作表示部３２に固定している。
【００２０】
液晶パネル３８は、図３に示すように、液晶ホルダー３７に設けた液晶保持部４５で保持し、液晶ホルダー３７に設けた保持脚６５を基板３４の保持穴６６に挿入して係合することで、液晶パネル３８を保持した液晶ホルダー３７を基板３４に装着するとともに、液晶パネル３８を基板３４に接続している。基板３４には、前面操作表示部３２のスイッチ操作部４６に対応して複数個のスイッチ３６を配設するとともに、抵抗などの電子部品３６ａ、ランプ３５、マイコン（図示せず）などを配設している。
【００２１】
液晶パネル３８を保持する液晶ホルダー３７の液晶保持部４５の外周に平面部４０を設け、この平面部４０の外側の外壁４１に、弾性を有する連結部５５を介してキートップ５６をスイッチ３６ごとに一体成形している。キートップ５６は、基板３４に配置したスイッチ３６と前面操作表示部３２のスイッチ操作部４６の間に介在する。
【００２２】
加飾シート４２は、透明表示部４４の形状により任意形状で、合成樹脂製の薄板状であり、液晶パネル３８の大きさに応じた抜き穴６７を設け、抜き穴６７の内縁の近傍に液晶パネル３８の表示に対応した調理メニューを印刷している。また、加飾シート４２の外縁のほぼ中央に、凸状片４７、４８、４９、５０を設けている。
【００２３】
液晶保持部４５の外周の平面部４０の外側の外壁４１の内側には、挿入穴５１、５２、５３、５４を設け、加飾シート４２の外縁の凸状片４７を挿入穴５１に、凸状片４８を挿入穴５２に、凸状片４９を挿入穴５３に、凸状片５０を挿入穴５４にそれぞれ挿入することにより、図４に示すように、加飾シート４２を液晶保持部４５の外周の平面部４０に載置するよう構成している。
【００２４】
上記構成において作用を説明する。炊飯器本体３１の前面操作表示部３２のは一種類の樹脂材料で構成することにより、リサイクル時の樹脂材料を分別する時間を短縮することができ、分解時の材料分別性を向上することができ、また、加飾シート４２の裏面に両面テープを用いた貼り付けをしないことより、リサイクル時の加飾シート４２の取外し作業時間を短縮することができる。
【００２５】
以上のように、本実施の形態においては、炊飯器本体３１の前面操作表示部３２を透過して目視可能な液晶表示部３９を有し、液晶表示部３９は、炊飯に必要な情報を表示する液晶パネル３８を液晶ホルダー３７に保持し、この液晶ホルダー３７を電子部品などを実装した基板３４に装着し、調理メニューを印刷した加飾シート４２を液晶パネル３８の前面に配設し、加飾シート４２は、外縁に設けた凸状片４７、４８、４９、５０を液晶ホルダー３７に設けた挿入穴５１、５２、５３、５４に係合させ保持するよう構成したので、組立作業を安定化し作業性を向上することができるとともに、リサイクル時の樹脂材料の分別性を向上することができ、加飾シート４２の取り付けに両面テープを使わないので、両面テープによる接着を剥すことがなくなり、容易に分解することができて、リサイクル時の分解作業性を向上することができる。
【００２６】
また、液晶ホルダー３７は、液晶パネル３８を保持する液晶保持部４５の外周に平面部４０を設けたので、加飾シート４２の外縁に設けた凸状片４７、４８、４９、５０を液晶ホルダー３７に設けた挿入穴５１、５２、５３、５４に係合させて保持するとき、平面部４０が案内となって凸状片４７、４８、４９、５０を挿入穴５１、５２、５３、５４に容易に挿入できるとともに、係合後の加飾シート４２を安定して液晶ホルダー３７に保持することができる。
【００２７】
なお、本実施の形態では、加飾シート４２の外縁のほぼ中央に凸状片４７、４８、４９、５０を設け、この凸状片４７、４８、４９、５０に対応した挿入穴５１、５２、５３、５４を液晶保持部４５の外周平面部４０の外側外壁４１の内側に設けて各４箇所の係合により保持した構成としているが、加飾シート４２の外縁に設ける凸状片は任意な位置に複数設け、凸状片に対応した複数の挿入穴を設けて係合させてもよい。
【００２８】
（実施の形態２）
図５および図６に示すように、液晶ホルダー３７ａは、液晶保持部４５の外周の平面部４０の外側の外壁４１の角部に、加飾シート４２ａの外縁２辺の角部５７、５８、５９、６０に対応した角部挿入穴６１、６２、６３、６４を設け、加飾シート４２ａの角部５７を角部挿入穴６１に、角部５８を角部挿入穴６２に、角部５９を角部挿入穴６３に、角部６０を角部挿入穴６４にそれぞれ係合することにより、加飾シート４２を液晶保持部４５の外周の平面部４０に載置するよう構成している。他の構成は上記実施の形態１と同じであり、同一符号を付して説明を省略する。
【００２９】
上記構成において作用を説明する。加飾シート４２ａの外縁２辺の角部５７、５８、５９、６０を、液晶ホルダー３７ａの角部に設けた角部挿入穴６１、６２、６３、６４に係合させ保持することで、上記実施の形態１のように、加飾シート４２の外縁の複数の凸状片をなくすとができ、保持の安定性を確保し、調理メニュー表示部３３を小型化できる。
【００３０】
以上のように、本実施の形態においては、加飾シート４２ａは、外縁２辺の角部５７、５８、５９、６０を、液晶ホルダー３７ａの角部に設けた角部挿入穴６１、６２、６３、６４に係合させ保持するよう構成したので、加飾シート４２ａを小さくできるとともに、加飾シート４２ａを安定して保持することができる。
【００３１】
なお、本実施の形態では、液晶ホルダー３７ａの角部挿入穴６１、６２、６３、６４に、図６に示すように、曲面を形成したが、直線面を形成してもよい。また、角部挿入穴の曲面あるいは直線面と外壁４１の内側面に突起部を設けて、液晶保持部４５の外周の平面部４０と突起部間で加飾シート４２ａの外縁を保持させてもよい。
【００３２】
（実施の形態３）
図７に示すように、液晶ホルダー３７の液晶保持部４５の外周に設けた平面部４０の高さは、液晶パネル３８の表面と同じ高さ、または液晶パネル３８の表面より僅かに高くなるように構成している。他の構成は上記実施の形態１と同じであり、同一符号を付して説明を省略する。
【００３３】
上記構成において作用を説明する。液晶ホルダー３７の平面部４０の高さを液晶パネル３８の表面と同じ高さ、または液晶パネル３８の表面より僅かに高くなるように構成したので、加飾シート４２を組付けるとき、加飾シート４２が屈曲することがなく、自然の状態で係合穴に差し込むことができ、また取外し易くなり、作業性を向上することができる。
【００３４】
以上のように、本実施の形態においては、液晶ホルダー３７の液晶保持部４５の外周に設けた平面部４０を液晶パネル３８の表面の高さと同等またはこれより高く形成したので、加飾シート４２を組付けるときに、屈曲することがなく自然の状態で係合穴に差し込むことができ、また取外し易くなり、作業性を向上することができる。また、加飾シート４２と液晶パネル３８との間隔を一定に保つことができるので、表示が見やすく見栄えも向上することができる。
【産業上の利用可能性】
【００３５】
以上のように、本発明にかかる炊飯器は、組立作業を安定化し作業性を向上することができるとともに、リサイクル時の樹脂材料の分別性を向上することができ、容易に分解できるようにして、リサイクル時の分解作業性を向上することができるので、炊飯器本体の前面に目視可能な液晶表示部を有する炊飯器として有用である。
【図面の簡単な説明】
【００３６】
【図１】本発明の実施の形態１の炊飯器の要部断面図
【図２】同炊飯器の斜視図
【図３】同炊飯器の液晶表示部の分解斜視図
【図４】同炊飯器の液晶表示部の一部切欠した上面図
【図５】本発明の実施の形態２の炊飯器の液晶表示部の分解斜視図
【図６】同炊飯器の液晶表示部の一部切欠した上面図
【図７】本発明の実施の形態３の炊飯器の液晶表示部の断面図
【図８】従来の炊飯器の要部断面図
【符号の説明】
【００３７】
３１  炊飯器本体
３２  前面操作表示部
３４  基板
３６ａ  電子部品
３７  液晶ホルダー
３８  液晶パネル
３９  液晶表示部
４２  加飾シート
４７  凸状片
４８  凸状片
４８  凸状片
５０  凸状片
５１  挿入穴
５２  挿入穴
５３  挿入穴
５４  挿入穴
【図１】
2005143956.tif 000003
【図２】
2005143956.tif 000004
【図３】
2005143956.tif 000005
【図４】
2005143956.tif 000006
【図５】
2005143956.tif 000007
【図６】
2005143956.tif 000008
【図７】
2005143956.tif 000009
【図８】
2005143956.tif 000010